【事件の表示】
　特許第２９４８４５１号「展示装置」の請求項１、２に係る特許に対する特許異議の申立てについて、次のとおり決定する。
【結　論】
　訂正を認める。
　特許第２９４８４５１号の請求項１ないし２に係る特許を維持する。
【理　由】
１．手続の経緯
　特許第２９４８４５１号の請求項１、２に係る発明についての出願は、平成５年９月１７日に特許出願され、平成１１年７月２日にその発明について特許権の設定登録がされ、その後、その特許について、異議申立人オーバーシーズ・パテント・サービス有限会社より特許異議の申立てがなされ、取消の理由が通知され、その指定期間内である平成１２年８月７日に訂正請求（後日取下げ）がなされた後、再度取消の理由が通知され、その指定期間内である平成１２年１１月６日に訂正請求がなされたものである。
２．訂正の適否についての判断
（１）訂正の内容
　特許権者が求めている訂正の内容は、以下のａ、ｂのとおりである。
ａ．特許請求の範囲の請求項１中の
「表蓋は隣接する可動部材の一方に取り付けられて該可動部材と共に開放され、」の記載を「表蓋は直交する２辺の端面が、隣接する両側の可動部材の端面に当接されるようになされ、表蓋の直交する２辺のうち一方の端面が隣接する一方側の可動部材に取り付けられることにより、前記可動部材と連結されて表蓋が固定部材に対して開閉されるようになされ、底蓋及び固定部材に形成された溝に嵌入されたＬ型のコーナー止め具と底蓋及び固定部材とが固定手段により固定されて、」に訂正する。
ｂ．発明の詳細な説明の段落【０００６】中の
「表蓋は隣接する可動部材の一方に取り付けられて該可動部材と共に開放され、」の記載を「表蓋は直交する２辺の端面が、隣接する両側の可動部材の端面に当接されるようになされ、表蓋の直交する２辺のうち一方の端面が隣接する一方側の可動部材に取り付けられることにより、前記可動部材と連結されて表蓋が固定部材に対して開閉されるようになされ、底蓋及び固定部材に形成された溝に嵌入されたＬ型のコーナー止め具と底蓋及び固定部材とが固定手段により固定されて、」に訂正する。
（２）訂正の目的の適否、新規事項の有無、及び特許請求の範囲の拡張・変更の存否
　上記訂正事項ａは、表蓋と可動部材との取り付け関係を、「表蓋は隣接する可動部材の一方に取り付けられて該可動部材と共に開放され」から「表蓋は直交する２辺の端面が、隣接する両側の可動部材の端面に当接されるようになされ、表蓋の直交する２辺のうち一方の端面が隣接する一方側の可動部材に取り付けられることにより、前記可動部材と連結されて表蓋が固定部材に対して開閉されるようになされ」と限定すると共に、底蓋と固定部材との関係について「底蓋及び固定部材に形成された溝に嵌入されたＬ型のコーナー止め具と底蓋及び固定部材とが固定手段により固定されて」との限定を付加したものである。これらは、いずれも特許請求の範囲の減縮を目的としたものである。
  また、訂正事項ｂは、前記訂正事項ａの訂正に伴って明瞭でなくなった明細書の発明の詳細な説明の欄を明瞭にした訂正であって、明瞭でない記載の釈明を目的とするものである。
　そして、前記ａ、ｂの訂正は、願書に添付した明細書又は図面に記載された範囲内においてされたものであり、また、実質的に特許請求の範囲を拡張し、又は変更するものではない。
（３）独立特許要件について
（３）−１訂正明細書の請求項１ないし２に係る発明
　訂正明細書の請求項１ないし２に係る発明は、その特許請求の範囲の請求項１ないし２に記載された次のとおりのものである。
「【請求項１】固定部材と該固定部材の前面に開閉自在に嵌着された可動部材とからなる複数の枠材が、多角形状に枠組みされて枠体が形成され、該枠体の可動部材と固定部材との間にシート状物が保持されるようになされた展示装置であって、前記枠体の隅角部は表蓋と底蓋とからなるコーナーピースから形成されると共に、表蓋は直交する２辺の端面が、隣接する両側の可動部材の端面に当接されるようになされ、表蓋の直交する２辺のうち一方の端面が隣接する一方側の可動部材に取り付けられることにより、前記可動部材と連結されて表蓋が固定部材に対して開閉されるようになされ、底蓋及び固定部材に形成された溝に嵌入されたＬ型のコーナー止め具と底蓋及び固定部材とが固定手段により固定されて、底蓋は隣接する両側の固定部材に固定されたことを特徴とする展示装置。
【請求項２】前記固定部材の背面に箱体が取り付けられ、該箱体は前面が開口されると共に内部に照明器具が設けられ、該照明器具によりシート状物が背面より照射されるようになされた請求項１記載の展示装置。」
（３）−２引用刊行物記載の事項
　平成１２年９月５日に発送した取消理由通知で引用した、実願昭６３−１３３２００号（実開平２−５２６５３号）のマイクロフィルム（以下、「刊行物１」という。）には、「組立式額縁」に関して、「方形状枠体（１）内に背板（８）が保持され、方形状枠体（１）は前面部材（４）と背面部材（５）が枠体（１）の外周に沿うヒンジ部（６）により連結され、前面部材（４）と背面部材（５）との間に設けられたばね材（７）により前面部材（４）が背板（８）との間にシート状物（９）を挟持する如く付勢され、ばね材（７）に抗して枠体（１）の各枠辺の前面部材（４）がヒンジ部（６）を支点として回動可能となされた額縁において、上記枠体（１）が複数の直線部枠材（２）とＬ形状のコーナー部枠材（３）に分割され、これら枠材（２）、（３）が方形状に枠組み接続されて形成されたことを特徴とする組立式額縁。」（実用新案登録請求の範囲）との記載、「コーナー枠部材（３）は第５図の如く前面部材（４）と背面部材（５）が対向され、枠体（１）の外側に位置する外側部どうしがヒンジ部（６）により連結されたＬ形状となされている。背面部材（５）はＬ形状に一体化されているのに対し、前面部材（４）はＬ形の各辺に相当するように２分割され、分割された前面部材（４）が第３図の如くそれぞれヒンジ部（６）を支点として回動するようになされている。」（第４頁第１７行〜第５頁第４行）との記載、「コーナー部枠材（３）の各連結片（１０）が第１図の如く直線部枠材（２）の端部に差込まれて接続され、コーナー部枠材（３）の前面部材（４）から突出された連結片（１０）が第４図の如く直線部枠材（２）の前面部材（４）の内側に当接されるようになされている。すなわち、コーナー部枠材（３）の前面部材（４）の回動が直線部枠材（２）の前面部材（４）により規制されている。又、上記連結片（１０）は直線部枠材（２）に着脱自在に差込まれていてもよいし、接着固定されていてもよい。」（第６頁第９〜１８行）との記載が、図面と共に示されている。
  同じく、特開平３−９９６１１号公報（以下、「刊行物２」という。）には、「枢着状に連結する継手と枠体」に関して、「本発明は、前記課題を解決するため、アルミなど、押出し成形加工した枠体と、可撓性樹脂．ポリカーボネイト．ポリアセタール等の工業用樹脂で成形した継手の２種類の部材を嵌め合うだけで、各枠体を枢着状に連結した額縁を形成し、該枠体を外側に回動して開き、背板等を含む被掲示物の出し入れが容易な額を提供するものである。」（公報第３頁左上欄第４〜１０行）との記載、「第１８図から第２０図に示す実施例は、枠材の端を直角に切断した枠材１を用いた場合の実施例を示すものである。本実施例の継手は、連結部の一方を回動する連結部として、他方を回動しない連結部として２個左右一対として用い、回動する枠体１の被掲示物３等の前面係止部１２の両端にキャップ１２１を取り付け、蓋とした場合の実施例である。・・・。さらに、回動する枠体１の端にキャップ１２１を取り付けているので、より鋭角的な感じを除くことができる。」（同第７頁右上欄第９行〜左下欄第７行）との記載が図面とともに示されている。
　同じく実願昭４８−１４０９８号（実開昭４９−１１６３９８号）のマイクロフィルム（以下、「刊行物３」という。）には、「額縁及び類似形状の枠に照明装置を着脱可能にした照明装置付きの額縁。」（実用新案登録請求の範囲）に関して、「額縁１の押え板２を取外すか、光を透過する板に取替え、支持部品の片方３を取付ける事によって照明装置４を着脱可能にし光源５によって照明用スライド６を照明する。」（第１頁第１７〜２０行）との記載が図面と共に示され、第３図からは、照明装置本体を額縁背面側に開口し、照明用スライドを照射する構成が把握できる。
（３）−３対比・判断
　訂正明細書の請求項１に係る発明と上記刊行物１〜３に記載のものとを対比すると、上記刊行物１〜３のいずれにも訂正明細書の請求項１に係る発明の構成要件である「底蓋及び固定部材に形成された溝に嵌入されたＬ型のコーナー止め具と底蓋及び固定部材とが固定手段により固定されて、底蓋は隣接する両側の固定部材に固定された」構成に関しての記載はないし、示唆もない。
　そして、訂正明細書の請求項１に係る発明は、「さらに底蓋は隣接する両側の固定部材に固定されているので、枠体はガタがなく強固に形成されている。」（【００２０】参照。）という効果を奏するものである。
　したがって、訂正明細書の請求項１に係る発明は、上記刊行物１〜３の記載から当業者が容易に発明をすることができたものとすることはできない。
  訂正明細書の請求項２に係る発明は、訂正明細書の請求項１に係る発明を
更に限定したものであるから、前記訂正明細書の請求項１に係る発明についての判断と同様の理由により、上記刊行物１〜３に記載の事項から当業者が容易に発明をすることができたものとすることはできない。
（４）むすび
　以上のとおりであるから、上記訂正は、特許法等の一部を改正する法律（平成６年法律第１１６号。以下、「平成６年改正法」という。）附則第６条第１項の規定によりなお従前の例によるとされる、平成１１年改正前の特許法第１２０条の４第３項において準用する平成６年改正法による改正前の特許法第１２６条第１項ただし書き、第２項及び第３項の規定に適合するので、当該訂正を認める。
３．特許異議の申し立てについての判断
（１）申し立ての理由の概要
  特許異議申立人オーバーシーズ・パテント・サービス有限会社は、下記の
の甲第１〜７号証を提出し、本願の請求項１ないし２に係る発明は、甲第１号証、甲第３〜７号証に記載されたものに基づいて当業者が容易に発明をすることができたものであり、特許法第２９条第２項の規定により特許を受けることができなかったものであるから、特許を取り消すべきである旨主張している。
　甲第１号証：特公平７−８７８１３号公報
　甲第２号証：実開平６−１５５６５号公報
　甲第３号証：実公平１−２３３２３号公報
　甲第４号証：実公昭６２−１５８２６号公報
　甲第５号証：実公昭６３−３０２９３号公報
　甲第６号証：実開昭４９−１１６３９８号公報
　甲第７号証：実開昭５６−１１５９７３号公報
（２）本件発明
   特許第２９４８４５１号の請求項１、２に係る発明（以下、「本件発明１」、「本件発明２」という。）は、平成１２年１１月６日付けの訂正明細書の特許請求の範囲の請求項１、２に記載されたとおりのものである。（上記２．（３）−１参照。）
（２）甲各号証記載の事項
　上記甲第６号証のマイクロフィルムは、上記刊行物３に記載されたものに対応している。したがって、その記載事項については、既に２．（３）−２に記載したとおりである。
  甲第３号証（実公平１−２３３２３号公報）には、「両端が斜めに切断された複数の枠材１，１・・・が各々端面を突き合わせて多角形状に枠組みされ、枠材１は背面部材２の外側縁部の枢軸部２５に前面部材３の嵌着部３４が嵌着され、・・・設けられた額縁。」（実用新案登録請求の範囲）が記載され、「なおまた、連結具８はＬ形状となされ、相隣接する枠材１，１の背面部材２，２を突き合わせ状に連結して枠組みするものである。」（公報第２頁右欄第２１〜２３行）との記載が図面とともに示されている。
　また、甲第４号証（実公昭６２−１５８２６号公報）には、「組立看板」に関して、「ここにコーナ部材４は、基杆１，１・・・により構成される矩形の頂点すなわち額縁の矩形の頂点を構成し、意匠効果を狙った装飾基部８の端面の接続段部より互いに直角方向に突出する一対の連結杆７，７を形成することにより略Ｌ字状に形成されている。しかして、該コーナ部材４の連結杆７，７を各々額縁材Ａの基杆１における中空部２の内壁に嵌入して略方形状に枠組みする。」（第１頁右欄第２４行〜第２頁左欄第４行）との記載が、図面と共に示されている。
  さらに、甲第５号証（実公昭６３−３０２９３号公報）には、「パネルコーナーの連結構造」に関して、「直線状の縁枠材を方形枠状に配し各角部をＬ形状の連結具で突合わせ連結させるパネルコーナーの連結構造であって、縁枠材は平行状の両側壁を底壁で接続して・・・連結具は断面凸形状の二本の嵌合腕片を直角に連結すると共に該各嵌合腕片の底面に突起を設けて合成樹脂材により一体に形成し、該連結具の嵌合連片を縁枠材の嵌合部に嵌挿して突起を嵌合孔に係止させ、連結具の弾発力により突起の抜脱を阻止するよう連結固定するように構成したパネルコーナーの連結構造。」（実用新案登録請求の範囲）との記載が、図面とともに示されている。
  甲第７号証（実開昭５６−１１５９７３号公報）には、「透明板を保持した額縁」（実用新案登録請求の範囲）について記載されているが、異議申立人が主張するような、照明器具を内装する点に関する記載は見当たらない。
  なお、甲第１号証、甲第２号証は、いずれも本件発明の出願以降に頒布された刊行物であるから、本件発明との同一性、又は容易性の判断の材料として使用することはできない。
（３）対比・判断
　［本件発明１について］
　本件発明１と甲第６号証との対比については、既に上記２．（３）−３において検討したとおりである。
  そこで、本件発明１と上記甲第３乃至第５及び甲第７号証記載のものとを対比すると、上記甲第３乃至第５及び甲第７号証のいずれにも本件発明１の要件構成である「底蓋及び固定部材に形成された溝に嵌入されたＬ型のコーナー止め具と底蓋及び固定部材とが固定手段により固定されて、底蓋は隣接する両側の固定部材に固定された」構成に関しての記載はないし、示唆もない。
　なお、甲第５号証に記載されたコーナー止め具（「連結具」として記載されている。）はＬ型であり、隣接する固定部材（「縁枠材」として記載されている。）に嵌入されるものであるが、甲第５号証記載の連結構造は、本件発明１のコーナーピースのように、表蓋と底蓋とからなるものではなく、技術的に異なったものである。
  そして、本件発明１は、該構成を備えることにより、明細書記載の効果を奏するものである。
　したがって、本件発明１は、甲第３〜７号証の記載から当業者が容易に発明をすることができたものとはいえない。
　［本件発明２について］
  本件発明２は、本件発明１を更に技術的に限定したものである。
　したがって、本件発明２は、本件発明１についての判断と同様の理由により、甲第３〜７号証に記載の事項から当業者が容易に発明をすることができたものとすることはできない。
（４）むすび
   以上のとおりであるから、特許異議の申立ての理由によっては本件発明１、２についての特許を取り消すことはできない。
　また、他に本件発明についての特許を取り消すべき理由を発見しない。
　よって、平成６年改正法附則第１４条の規定に基づく、特許法等の一部を改正する法律の施行に伴う経過措置を定める政令（平成７年政令第２０５号）第４条第２項の規定により、上記のとおり決定する。
【異議決定日】
平成１２年１２月６日（２０００．１２．６）
【訂正の要旨】
訂正事項ａ．
　特許請求の範囲の請求項１中の
「表蓋は隣接する可動部材の一方に取り付けられて該可動部材と共に開放され、」を「表蓋は直交する２辺の端面が、隣接する両側の可動部材の端面に当接されるようになされ、表蓋の直交する２辺のうち一方の端面が隣接する一方側の可動部材に取り付けられることにより、前記可動部材と連結されて表蓋が固定部材に対して開閉されるようになされ、底蓋及び固定部材に形成された溝に嵌入されたＬ型のコーナー止め具と底蓋及び固定部材とが固定手段により固定されて、」と訂正する。
訂正事項ｂ．
　発明の詳細な説明中、段落番号【０００６】の
「表蓋は隣接する可動部材の一方に取り付けられて該可動部材と共に開放され、」を「表蓋は直交する２辺の端面が、隣接する両側の可動部材の端面に当接されるようになされ、表蓋の直交する２辺のうち一方の端面が隣接する一方側の可動部材に取り付けられることにより、前記可動部材と連結されて表蓋が固定部材に対して開閉されるようになされ、底蓋及び固定部材に形成された溝に嵌入されたＬ型のコーナー止め具と底蓋及び固定部材とが固定手段により固定されて、」と訂正する。
（５４）【発明の名称】
　展示装置
（５７）【特許請求の範囲】
　【請求項１】　固定部材と該固定部材の前面に開閉自在に嵌着された可動部材とからなる複数の枠材が、多角形状に枠組みされて枠体が形成され、該枠体の可動部材と固定部材との間にシート状物が保持されるようになされた展示装置であって、前記枠体の隅角部は表蓋と底蓋とからなるコーナーピースから形成されると共に、
表蓋は直交する２辺の端面が、隣接する両側の可動部材の端面に当接されるようになされ、表蓋の直交する２辺のうち一方の端面が隣接する一方側の可動部材に取り付けられることにより、前記可動部材と連結されて表蓋が固定部材に対して開閉されるようになされ、底蓋及び固定部材に形成された溝に嵌入されたＬ型のコーナー止め旦と底蓋及び固定部材とが固定手段により固定されて、
底蓋は隣接する両側の固定部材に固定されたことを特徴とする展示装置。
　【請求項２】　前記固定部材の背面に箱体が取り付けられ、該箱体は前面が開口されると共に内部に照明器具が設けられ、該照明器具によりシート状物が背面より照射されるようになされた請求項１記載の展示装置。
【発明の詳細な説明】
　【０００１】
　【産業上の利用分野】
　本発明は、額縁、パネル、ディスプレー等として、写真、ポスター、絵画、表彰状等のシート状物を前面より装着して展示するのに使用される展示装置に関するものである。
　【０００２】
　【従来の技術】
　従来、額縁、パネル、ディスプレー等の展示装置としては、通常、固定部材とその前面に開閉自在に嵌着された可動部材とからなる複数の枠材が、その各両端が４５度の斜めに切断され、その各々の端面が突き合わされて方形状に枠組みされて枠体が形成され、該枠体の固定部材と可動部材との間にシート状物、すなわち写真やポスター等のシート状展示物、透明カバーが保持され、展示されるようになされた、所謂前開き式の展示装置が使用されている。
　【０００３】
　【発明が解決しようとする課題】
　しかしながら上記展示装置は、４５度の斜めに切断された枠材の各々の端面が突き合わされて方形状の枠体が形成されているので、次のような問題点があった。すなわち枠体の各隅角部がシャープであるため危険であり、また各々の端面の突き合わせ部に隙間が出やすく、美観を損なうことがあり、さらに固定部材と可動部材とからなる枠材の両端面を４５度の斜めに正確に切断する必要があることから、製作作業が複雑で高度な技術を必要としていた。
　【０００４】
　そこで上記問題に対処するために、前記前開き式の展示装置において、枠体の各隅角部を別体の隅角部材で形成し、危険がないように該隅角部材の角部に丸みを持たせた展示装置も実用化されている。かかる隅角部材を使用することにより、安全性が高められると共に、可動部材の色調と隅角部材の色調とを適宜組み合わせることにより、従来の展示装置とは異なった外観のものが得られるようになった。しかしこの展示装置にあっては、隅角部材全体が、可動部材と固定部材との間に保持されたシート状物や透明シートの角部に覆いかぶさった状態で、隣接する両側の固定部材に固定されているため、シート状物や透明シートの脱着の際、該隅角部材が邪魔になって、特に厚みの厚いシート状物や透明シート等の脱着が極めて困難となっていた。従って所謂前開き式としての機能が充分発揮され得ないものであった。
　【０００５】
　本発明は上記の如き問題点を解消し、加工、組み立て作業が簡単で、安全性が高く、美観に優れ、且つ所謂前開き式としての機能を最大限に生かした展示装置を提供せんとするものである。
　【０００６】
　【課題を解決するための手段】
　上記目的を達成させるために、本発明は次のような構成としている。
　すなわちこの発明に係る展示装置は、固定部材と該固定部材の前面に開閉自在に嵌着された可動部材とからなる複数の枠材が、多角形状に枠組みされて枠体が形成され、該枠体の可動部材と固定部材との間にシート状物が保持されるようになされた展示装置であって、前記枠体の隅角部は表蓋と底蓋とからなるコーナーピースから形成されると共に、
表蓋は直交する２辺の端面が、隣接する両側の可動部材の端面に当接されるようになされ、表蓋の直交する２辺のうち一方の端面が隣接する一方側の可動部材に取り付けられることにより、前記可動部材と連結されて表蓋が固定部材に対して開閉されるようになされ、底蓋及び固定部材に形成された溝に嵌入されたＬ型のコーナー止め旦と底蓋及び固定部材とが固定手段により固定されて、
　【０００７】
　　【作用】
　本発明に係る展示装置は所謂前開き式の展示装置において、固定部材と可動部材とからなる枠材によって形成される枠体の隅角部が、表蓋と底蓋とからなるコーナーピースから形成されているので、枠体の形成時における加工、組み立て作業が簡単となり、また隅角部がシャープでないので安全性が高く、且つ可動部材の色調と隅角部材の色調とを適宜組み合わせることにより、優れた美観のものが得られる。
　【０００８】
　またコーナーピースの表蓋は、隣接する可動部材のいずれか一方のみに取り付けられ、該可動部材と共に表蓋が連動して開閉されるので、シート状物や透明シートの脱着が容易であり、所謂前開き式としての機能を最大限に生かすことができる。さらに底蓋は隣接する両側の固定部材に固定されているので、枠体はガタがなく強固に形成されている。
　【０００９】
　　【実施例】
　以下、本発明展示装置の実施例を図面に基づき具体的に説明する。
　【００１０】
　図１〜４は本発明展示装置の一実施例を示し、図１はその平面図、図２は図１の要部拡大断面図、図３は図１の分解斜視図、図４はコーナーピースの分解斜視図である。図１〜４において、Ａは固定部材１と可動部材２とからなる枠材であり、複数の前記枠材Ａが多角形状に枠組みされて枠体Ｂが形成され、該枠体Ｂの可動部材２と固定部材１との間に図２の如くシート状物３が保持されるようになされている。
　【００１１】
　すなわち固定部材１の前面に可動部材２が相対向され、そして固定部材１の外側縁部に形成された枢軸部１１に、可動部材２の外側縁部に形成された嵌着部２１がそれぞれ嵌着されることにより、可動部材２は固定部材１に対して枢軸部１１を支点にして開閉自在となされている。前記固定部材１及び可動部材２の材質は、一般にはアルミニウム、ステンレス等の金属や、ポリ塩化ビニル、ポリプロピレン、ＡＢＳ等の合成樹脂、あるいはこれらの複合材が使用されるが特に限定されるものではない。
　【００１２】
　なお各固定部材１の枢軸部１１の内方に形成された弓形状の係止部１２と、各可動部材２の内側寄りに形成されたばね受け部２２との間に、ステンレス等の金属からなる板ばね４がそれぞれ弓なりに湾曲されて挿着され、該ばね４により可動部材２は固定部材１に対して開放方向と閉合方向の両方向にそれぞれ付勢されると共にばね４の弾発力により押圧された可動部材２と固定部材１との間にシート状物３が保持されるようになされている。
　【００１３】
　すなわち前記ばね４の弾性力により、可動部材２が閉合位置に付勢された状態では、固定部材１と可動部材２との間にシート状物３の周側端縁が保持されるようになされ、また可動部材２を開放する場合は、ばね４の弾性力に抗して可動部材２を枢軸部１１を支点として前方に回動すれば、ばね４の弾性力によって開放状態が維持され、シート状物３の取り外しが行える。
　【００１４】
　なおシート状物３は、一般には写真、ポスター、絵画、表彰状、ジグソーパズル等であるが、特に限定されるものではない。また本実施例の如くシート状物３の前面にアクリル、ポリカーボネート、ポリ塩化ビニルの如き透明合成樹脂からなる透明シート３１が装着されていてもよい。
　【００１５】
　本発明展示装置においては、図１の如く前記枠体Ｂの各隅角部は、角部が丸みを帯びた平面視９０度の扇形状のコーナーピースＣから形成されている。該コーナーピースＣは図３〜４に示された如く表蓋５と底蓋６とから形成され、該表蓋５と底蓋６との間には可動部材２と固定部材１との間に保持されたシート状物３の角縁部が挿着されている。表蓋５は本体部５１と挿着部５２とから形成され、該本体部５１の直交する２辺の端面が、隣接する両側の可動部材２の端面に当接されるようになされ、一方、挿着部５２は該本体部５１の直交する２辺の一方の端面より突設され、該挿着部５２が隣接する一方側の可動部材２の内部に挿着されることにより、前記可動部材２と連結されて表蓋５が固定部材に対して開閉されるようになされている。前記可動部材２の内部に挿着される挿着部５２は、接着剤等により可動部材２に固着されていてもよいし、表蓋５が交換できるように抜脱自在となされていてもよい。
　【００１６】
　表蓋５の本体部５１の表面は、可動部材２と同一の着色や模様が付されていてもよいが、可動部材２の色調と本体部５１の色調とが適宜異なった色や模様で組み合わされていると、従来の展示装置とは異なり、優れた外観のものが得られるので好ましい。表蓋５を形成する材質としては、ＡＢＳ等の合成樹脂の射出成型、アルミニウムや亜鉛等の金属の鋳物等、適宜材質で形成される。
　【００１７】
　一方底蓋６は、直交する２辺の端面が隣接する両側の固定部材１の端面に当接されると共にＬ形のコーナー留め具６１を介して該両側の固定部材１に連結されて多角形状に枠組みされている。すなわち、背板７の外周に沿って背板７を保持する如く、角部に底蓋６を配して固定部材１が多角形状に枠組みされ、Ｌ形のコーナー留め具６１が底蓋６及び固定部材１に形成された溝６２，１３に嵌入されると共に該コーナー留め具６１と底蓋６及び固定部材１とが螺子或いはリベット等の適宜固定手段６３にて固定されることにより、背板７を保持する如く底蓋６と固定部材１とが連結されている。底蓋６を形成する材質としては、一般にはＡＢＳ等の合成樹脂の射出成型、アルミニウムや亜鉛等の金属の鋳物等、適宜材質で形成され、コーナー留め具は鋼材のプレス加工により形成される。なお本実施例では、底蓋６とコーナー留め具６１とが別体で形成されているが、合成樹脂の射出成型や金属の鋳物等により予め一体で形成されていてもよい。
　【００１８】
　次に本発明展示装置の他の実施例を図５により説明する。図５の実施例は所謂内照式の展示装置であって、前面が開口された箱体８が枠体Ｂの背面に取り付けられている点、該箱体８の内部に蛍光灯の如き照明器具８１が設けられている点を除いては、図１〜４に示された展示装置と同じ構造を有し、枠体Ｂの隅角部が、前述の如き表蓋５と底蓋６とからなるコーナーピースＣから形成されている。なお内照式であることから、固定部材１に取り付けられた背板７は一般に厚み２〜３ｍｍ程度の乳白色のアクリル板の如き拡散板が使用され、照明器具８１からの照射光を透光してシート状物３を背面から照射すると共に乱反射させて輝度の均一化を図っている。また前記箱体８の外周形状は前記固定部材１と底蓋６とで形成される外周形状と同一形状にするのが好ましい。
　【００１９】
　【発明の効果】
　以上詳述したように本発明に係る展示装置は所謂前開き式の展示装置において、固定部材と可動部材とからなる枠材によって形成される枠体の隅角部が、表蓋と底蓋とからなるコーナーピースから形成されているので、枠体の形成時における加工、組み立て作業が簡単となり、また隅角部がシャープでないので安全性が高く、且つ可動部材の色調と隅角部材の色調とを適宜組み合わせることにより、優れた美観のものが得られる。
　【００２０】
　またコーナーピースの表蓋は、隣接する可動部材の一方に取り付けられ、該可動部材と共に表蓋が連動して開閉されるので、シート状物や透明シートの脱着が容易であり、所謂前開き式としての機能を最大限に生かすことができる。さらに底蓋は隣接する両側の固定部材に固定されているので、枠体はガタがなく強固に形成されている。
【図面の簡単な説明】
　　【図１】
　本発明展示装置の一実施例を示す平面図である。
　　【図２】
　図１の要部拡大断面図である。
　　【図３】
　図１の分解斜視図である。
　　【図４】
　図１のコーナーピースの分解斜視図である。
　　【図５】
　本発明展示装置の他の実施例を示す一部切欠平面図である。
　【符号の説明】
Ａ　　枠材
Ｂ　　枠体
Ｃ　　コーナーピース
１　　固定部材
２　　可動部材
３　　シート状物
５　　表蓋
６　　底蓋
８　　箱体
８１　照明器具